(57)【要約】【課題】石鹸が長持ちする石鹸置きとして利用可能な石鹸販売用容器を提供する。【解決手段】石鹸販売用容器１は、石鹸４を収容する凹状の収容部１１を備えた容器本体２と、容器本体２に着脱自在に取り付けられ、収容部１１を閉じる蓋部材３とを備える。蓋部材３は、収容部１１を覆う蓋本体２１と、この蓋本体２１から収容部１１とは反対側に盛り上がり、この蓋部材３の上に石鹸４が置かれたときにその石鹸４を蓋本体２１から持ち上げた位置に支持する複数の突起３１と、蓋本体２１を貫通し、この蓋本体２１の上に滴る水を収容部１１へ向けて排出する水切り用の貫通孔３２とが設けられている。この石鹸販売用容器１は、蓋部材３を容器本体２から取り外して石鹸４を取り出した後、蓋部材３を容器本体２に再び取り付けることで、蓋部材３の上に石鹸４が載置可能な石鹸置きとして利用することができる。【選択図】図４
0003141589.tif 000002
【実用新案登録請求の範囲】
【請求項１】
石鹸を収容する凹状の収容部を備えた容器本体と、
上記容器本体に着脱自在に取り付けられ、上記収容部を閉じる蓋部材と、を備える石鹸販売用容器であって、
上記蓋部材は、上記収容部を覆う蓋本体と、この蓋本体から上記収容部とは反対側に盛り上がり、この蓋部材の上に石鹸が置かれたときにその石鹸を上記蓋本体から持ち上げた位置に支持する複数の突起と、上記蓋本体を貫通し、この蓋本体の上に滴る水を上記収容部に向けて排出する水切り用の貫通孔とが設けられており、
上記蓋部材を上記容器本体から取り外して石鹸を取り出した後、上記蓋部材を上記容器本体に再び取り付けることで、上記蓋部材の上に石鹸が載置可能な石鹸置きとして利用することができることを特徴とする石鹸販売用容器。
【請求項２】
上記収容部は、底壁と、この底壁の周縁から起立した周壁とを有し、
上記蓋部材は、上記周壁に沿うように上記蓋本体に対して起立し、上記周壁に嵌合する嵌合部を備え、上記蓋本体と上記嵌合部との間には上記収容部に向いて窪む溝部が上記蓋本体の全周に沿って設けられていることを特徴とする請求項１に記載の石鹸販売用容器。
【考案の詳細な説明】
【技術分野】
【０００１】
本考案は、石鹸の販売に用いられる石鹸販売用容器に関する。
【背景技術】
【０００２】
石鹸は、紙で包装されて販売されるものも多いが、なかにはプラスチック製の容器に収容されて販売されるものもある。このような石鹸の販売に用いられる容器（以下、石鹸販売用容器）としては、石鹸を収容する凹状の収容部を備えた容器本体と、この容器本体に着脱自在に取り付けられ、上記収容部を閉じる蓋部材とを備えるものがある。
【考案の開示】
【考案が解決しようとする課題】
【０００３】
ところで、上記のような石鹸販売用容器を用いた製品を購入した場合、石鹸を取り出した後の当該容器は使い道がなく、いわばゴミになってしまう。これは物品の有効利用や環境保護の観点から好ましくない。
【０００４】
そこで本考案者は、石鹸を取り出した後の石鹸販売用容器を石鹸置きとして利用してもらうことを考えた。しかしながら例えば石鹸販売用容器の上に濡れた石鹸を置くと、石鹸表面の水分が取れにくく、石鹸が長持ちしないとの問題がある。
【０００５】
本考案の目的は、石鹸が長持ちする石鹸置きとして利用可能な石鹸販売用容器を提供することにある。
【課題を解決するための手段】
【０００６】
本考案の一つの形態に係る石鹸販売用容器は、石鹸を収容する凹状の収容部を備えた容器本体と、上記容器本体に着脱自在に取り付けられ、上記収容部を閉じる蓋部材とを備える。上記蓋部材は、上記収容部を覆う蓋本体と、この蓋本体から上記収容部とは反対側に盛り上がり、この蓋部材の上に石鹸が置かれたときにその石鹸を上記蓋本体から持ち上げた位置に支持する複数の突起と、上記蓋本体を貫通し、この蓋本体の上に滴る水を上記収容部へ向けて排出する水切り用の貫通孔とが設けられている。この石鹸販売用容器は、上記蓋部材を上記容器本体から取り外して石鹸を取り出した後、上記蓋部材を上記容器本体に再び取り付けることで、上記蓋部材の上に石鹸が載置可能な石鹸置きとして利用することができる。
【考案の効果】
【０００７】
本考案によれば、濡れた石鹸の水切りを十分に行うことができ、石鹸が長持ちする石鹸置きとして利用可能な石鹸販売用容器が提供される。
【考案を実施するための最良の形態】
【０００８】
以下、本考案の一つの実施形態に係る石鹸販売用容器１について、図１ないし図４を参照して説明する。図１は、石鹸販売時における石鹸販売用容器１の全体を示す。図２は、図１の石鹸販売用容器１を分解して示す。図２に示すように、石鹸販売用容器１は、容器本体２と、この容器本体２に着脱自在に取り付けられる蓋部材３（すなわち上蓋）とを備える。
【０００９】
図２に示すように、容器本体２は、石鹸４を収容する収容部１１を有する。詳しく述べると、容器本体２は、例えば略矩形状をした底壁１２と、この底壁１２の全周縁から上方へ向いて起立した周壁１３とを有する。この底壁１２と周壁１３とにより、収容部１１は石鹸４の外形に対応する凹状に形成されている。容器本体２の一方には、上記収容部１１をこの容器本体２の外部へ開放する開口部１４が設けられている。石鹸４は、この開口部１４を通じて収容部１１に出し入れ可能である。
【００１０】
収容部１１の上方には、蓋部材３が嵌合される嵌合受け部１５が周壁１３の一部によって形成されている。嵌合受け部１５は、例えば容器本体２の全周に設けられている。嵌合受け部１５は、例えば収容部１１の周壁１３に対して容器本体２の外側に僅かに膨らみ、収容部１１との間に段差１６を有する。嵌合受け部１５の上端には、容器本体２の外側に向いて張り出す本体鍔部１７が設けられている。
【００１１】
図１および図２に示すように、蓋部材３は、石鹸４を収容した容器本体２に対して取り付けられ、収容部１１を閉じる。詳しくは、蓋部材３は、蓋本体２１、嵌合部２２、および蓋鍔部２３を備える。蓋本体２１は、板状に形成されるとともに、収容部１１に対向し、この収容部１１を覆う。蓋本体２１は、例えば石鹸４がその上に載置されるのに十分な大きさを有する。この蓋本体２１には、複数の突起３１と、例えば複数の貫通孔３２とが設けられている。
【００１２】
図２および図４に示すように、突起３１は、例えば蓋本体２１から収容部１１とは反対側に盛り上がった円柱状の凸部である。この複数の突起３１は、蓋本体２１の全体に亘り分散して配置されている。この突起３１は、この蓋部材３の上に石鹸４が置かれたときに、その石鹸４を蓋本体２１の表面から持ち上げた位置に支持する。
【００１３】
突起３１は、蓋本体２１に対して、例えば１．５ｍｍ程度盛り上がっている。なお本実施形態では、突起３１の数は例えば６つであるが、その数は限定されるものではない。突起３１は、協働して石鹸４を支持することが可能な個数あればいくつでもよい。また突起３１の形状や高さなども限定されるものではなく、種々の形状や高さを適宜設定することができる。
【００１４】
貫通孔３２は、例えば複数の突起３１の間に設けられ、蓋本体２１を貫通している。貫通孔３２は、蓋本体２１の上に滴る水を収容部１１へ向けて排出する水切り用の穴である。貫通孔３２の数は例えば３つであるが、その数は限定されるものではなく、例えば１つでもよい。
【００１５】
嵌合部２２は、蓋部材３の周縁部に設けられ、容器本体２の周壁１３に沿うように蓋本体２１に対して起立している。嵌合部２２は、例えば蓋部材３の全周に設けられている。嵌合部２２は、容器本体２の嵌合受け部１５に嵌め合わされ、蓋部材３を容器本体２に固定する。嵌合部２２は、蓋本体２１よりも上方まで延びている。蓋鍔部２３は、本体鍔部１７に重ねられるように、嵌合部２２の上端から蓋部材３の外側に向いて延びている。これにより蓋部材３は、蓋本体２１を底部とする比較的浅い凹状に形成されている。
【００１６】
図２および図４に示すように、蓋本体２１と嵌合部２２との間には、収容部１１に向いて窪む溝部３３が設けられている。この溝部３３は、蓋本体２１の全周に沿って設けられている。すなわち蓋部材３は、蓋本体２１の周縁から一旦下方に窪むとともに、その窪んだ高さで嵌合部２２の下端に連続している。この溝部３３は、蓋部材３の上に滴る水を集める貯留部として機能するとともに、蓋部材３の梁として機能する。
【００１７】
次に、石鹸販売用容器１の作用について説明する。  
石鹸販売用容器１は、図１に示すように石鹸４を収容部１１に収容した状態でさらに例えばフィルム等で包まれ、購入者へ提供される。この石鹸４の購入者は、蓋部材３を容器本体２から取り外して石鹸４を取り出し、その石鹸４を使用する。さらに購入者は、図３および図４に示すように、蓋部材３を再び容器本体２に取り付けることで、この石鹸販売用容器１を石鹸置きとして利用することができる。すなわち、容器本体２に取付けられた蓋部材３の上に使用中の石鹸４を載置することができる。
【００１８】
このとき、図４に示すように、石鹸４は複数の突起３１によって支持され、この石鹸４は蓋本体２１に対して浮かされる。これにより石鹸４が蓋本体２１にべったり張り付くことが防がれる。したがって石鹸４の表面に付着した水は、石鹸４の表面に長時間留まることなく、蓋本体２１の上に逃げてくれる。そしてこの蓋本体２１の上に逃げた水の一部は、貫通孔３２を通じて収容部１１へ向けて排出される。さらに蓋本体２１の上に逃げた水の一部は、溝部３３に捌けてくれる。これにより蓋本体２１の上に水が溜まりにくい。
【００１９】
このような構成の石鹸販売用容器１によれば、濡れた石鹸４の水切りを十分に行うことができ、石鹸４が長持ちする石鹸置きとして利用することができる。すなわち、蓋部材３が、複数の突起３１と、蓋本体２１を貫通する貫通孔３２とを有すると、石鹸４の表面に水分が残りにくく、水切り性が良好である。これにより石鹸４がその水分により溶けるのを抑制し、石鹸４を長持ちさせることができる。
【００２０】
蓋部材３が容器本体２に嵌合する嵌合部２２を備え、その嵌合部２２と蓋本体２１との間に溝部３３が設けられていると、蓋本体２１に滴る水をこの溝部３３に逃がすことができる。すなわちこの溝部３３を備えることで、蓋本体２１の上に水がさらに溜まりにくくなる。
【００２１】
またこの溝部３３が蓋部材３の全周に設けられていると、この溝部３３は蓋部材３の強度を向上させる梁として機能し、これにより蓋部材３の全体が撓みにくくなる。すなわち蓋本体２１が撓んで突起３１の上に支持された石鹸４が蓋本体２１に接するようなことがなく、石鹸置きとしての特性がさらに良好になる。またこの溝部３３が梁として機能し、嵌合部２２が歪みにくくなる。つまり、容器本体２の嵌合受け部１５に対してこの嵌合部２２を嵌め込みやすくなり、容器１の使い勝手が良くなる。
【００２２】
以上、本考案の一つの実施形態に係る石鹸販売用容器１について説明したが、本考案はこの実施形態に限定されるものではない。この考案は、実施段階ではその要旨を逸脱しない範囲で構成要素を適宜変形して具体化できる。
【図面の簡単な説明】
【００２３】
【図１】本考案の実施形態に係る石鹸販売用容器の石鹸販売時の状態を示す斜視図。
【図２】図１中に示された石鹸販売用容器を分解して示す斜視図。
【図３】図１中に示された石鹸販売用容器の石鹸置きとして使用する状態を示す斜視図。
【図４】図３中に示された石鹸販売用容器の断面図。
【符号の説明】
【００２４】
１…石鹸販売用容器、２…容器本体、３…蓋部材、４…石鹸、１１…収容部、１２…底壁、１３…周壁、２１…蓋本体、２２…嵌合部、３１…突起、３２…貫通孔、３３…溝部。
【図１】
0003141589.tif 000003
【図２】
0003141589.tif 000004
【図３】
0003141589.tif 000005
【図４】
0003141589.tif 000006